(57)【要約】【課題】家電品から発生する蒸気が周囲のキャビネットに直接当たることを防止する蒸気処理器を安価に提供すること。【解決手段】下方からの蒸気を受ける傾斜面を備えた蒸気受け１０と、前記蒸気受け１０の下端部に結露受け１１を配設し、家電品から発生した蒸気を蒸気受け１０で結露させ、結露水を結露受け１１で捕集することにより、周辺のキャビネット９に直接蒸気が当たることを防止し、キャビネットの９の損傷や汚れが防止できる。【選択図】図１
2005118345.tif 000002
【特許請求の範囲】
【請求項１】
下方からの蒸気を受ける傾斜面を備えた蒸気受けと、前記蒸気受けの下端部に結露受けを配設し、蒸気受けに結露した結露水を結露受けで捕集することを特徴とする蒸気処理器。
【請求項２】
蒸気受けの表面を撥水性材料にて構成した請求項１に記載の蒸気処理器。
【請求項３】
蒸気受けの表面を親水性材料にて構成した請求項１に記載の蒸気処理器。
【請求項４】
蒸気受けの傾斜面を周囲が低い形状とした請求項１〜３のいずれか１項に記載の蒸気処理器。
【請求項５】
蒸気受けの傾斜面を可動自在とした請求項１〜４のいずれか１項に記載の蒸気処理器。
【請求項６】
結露受けを着脱自在とした請求項１〜５のいずれか１項に記載の蒸気処理器。
【発明の詳細な説明】
【技術分野】
【０００１】
本発明はシステムキッチン等において、特に使用中、蒸気が発生する電気製品などを収納する箇所に取り付けする蒸気処理器に関するものである。
【背景技術】
【０００２】
従来、この種の蒸気処理器は、家電品を置く空間の後部に送風機を設置し、発生する蒸気を強制的に手前に排出する構成である（例えば、特許文献１参照）。
【０００３】
図７において、空間１が家電品置場でこの空間１には炊飯器２、湯沸かしジャーポット３などを置ける。
この後板４には送風機５が取り付けられており、下部吸気口６から吸気し排気口７から上部棚板８に沿って風を送り、発生する蒸気を強制的に手前に流すということでキャビネットの結露を防ぎ、キャビネットが長期間いたまずに使えるというものであった。
【特許文献１】特開平１０―１１５４４５号公報
【発明の開示】
【発明が解決しようとする課題】
【０００４】
しかしながら、上記従来の蒸気処理器では、送風機などを用いるため構造が複雑であり、高コストとなるという欠点があった。
【０００５】
本発明は、前記従来の課題を解決するもので、蒸気を発生する家電品を収納できる蒸気処理器を安価に提供することを目的とする。
【課題を解決するための手段】
【０００６】
前記従来の課題を解決するために、本発明の蒸気処理器は、下方からの蒸気を受ける傾斜面を備えた蒸気受けと、前記蒸気受けの下端部に結露受けを配設したものである。
【０００７】
これによって、家電品から発生した蒸気を、蒸気受けで結露させ、結露水を結露受けで捕集することで、周囲のキャビネットに直接蒸気が当たることを防止することとなる。
【発明の効果】
【０００８】
本発明の蒸気処理器は、家電品から発生する蒸気が周囲のキャビネットに直接当たり、キャビネットを損傷したり汚したりすることを防止できる蒸気処理器を簡単な構造で実現し安価に提供できる。
【発明を実施するための最良の形態】
【０００９】
第１の発明は下方からの蒸気を受ける傾斜面を備えた蒸気受けと、前記蒸気受けの下端部に結露受けを配設したことにより、蒸気受けに結露した結露水を結露受けで捕集することとなり、蒸気の出る家電品の上部に配設した棚板等に蒸気が当たることを防止すことができる。
【００１０】
第２の発明は、特に、第１の発明の蒸気受けの表面をを撥水性材料にて構成することにより、蒸気受けに結露した結露水が傾斜面に沿って流れやすくすることにより結露受けに捕集しやすくできる。
【００１１】
第３の発明は、特に、第１の発明の傾斜面蒸気受けの表面をを親水性材料にて構成することにより、蒸気受けに結露した結露水を即座に広範囲に広げることができるため結露受けに捕集しやすくまた、蒸気受け表面に残った結露水を短時間で乾燥させることができる。
【００１２】
第４の発明は、特に、第１〜３のいずれか１つの発明の傾斜面を周囲が低い形状とすることにより、蒸気が外部に漏れにくくなり室内への蒸気拡散を少なくすることができる。
【００１３】
第５の発明は、特に、第１〜４のいずれか１つの発明の傾斜面を可動自在とすることにより、蒸気が発生しないときには傾斜面を傾斜させずに庫内を広く使うことができる。
【００１４】
第６の発明は、特に、第１〜５のいずれか１つの発明の結露受けを着脱自在にすることにより、結露受けに溜まった結露水を結露受けを取り外して廃棄することができるので、結露受けを小型にできるとともに、結露水を廃棄することにより短時間に再使用が可能になる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における蒸気処理器の斜視図を示すものである。
【００１７】
図１において、収納キャビネット９の仕切り板９ａの下面に固定された３つの略三角の傾斜面を備えた蒸気受け１０はステンレス等の熱容量が大きく、腐食しにくい金属材料で形成されており、傾斜面の最下端部はキャビネット９の後部に集束しており、その下方には、樹脂材料で一体成形された結露受け１１が着脱自在にキャビネット９の背面板９ｂに設置されている。
【００１８】
以上のように構成された蒸気処理器について、以下その動作、作用を説明する。
【００１９】
まず、傾斜面の下方に蒸気が発生する家電品である炊飯器１２、湯沸かしジャーポット１３を置く。家電品を使用した場合、家電品から発生した蒸気は、蒸気受け１０に当たり、その一部は蒸気受け１０の傾斜に沿って手前に流れ室内に放出されるとともに、そのほとんどは蒸気受け１０の表面で結露し、結露水は傾斜により下方に流れ下端に設けた結露受け１１に捕集され、結露受け１１は着脱自在であるので、結露受け１１を取り外して、結露水を廃棄することができる。
【００２０】
そのため、家電品から排出された蒸気のほとんどは蒸気受け１０で結露し結露受け１１に捕集されるため、蒸気によりキャビネット９、特に仕切り板９ａを痛めたり汚れたりしない。
【００２１】
また、本実施の形態の蒸気受け１０の表面に撥水性塗料を塗装することにより、蒸気受け１０の撥水性が高くなり、結露水が流れやすくなり、蒸気受け１０の表面に残る結露水を少なくすることができる。
【００２２】
また、本実施の形態の蒸気受け１０の表面に親水性塗料を塗装することにより、蒸気受け１０の親水性が高くなり、結露水が広い範囲に広がるため、結露水が流れやすくなるとともに、蒸気受け１０の表面に残った結露水は乾燥しやすくなる。
【００２３】
（実施の形態２）
図３は、本発明の第２の実施の形態の蒸気処理器の斜視図である。
【００２４】
図３において、蒸気受け１４は後方が低い傾斜面１４ａ、前壁１４ｂ、後壁１４ｃ、左壁１４ｄ、右壁１４ｅからなり、ステンレス等の熱容量が大きく、腐食しにくい金属材料で形成されており、最下端部の下方には樹脂材料で一体成形された結露受け１１が着脱自在にキャビネット９の背面板９ｂに設置されている。
【００２５】
以上のように構成された蒸気処理器について、以下その動作、作用を説明する。
【００２６】
家電品を使用した場合、家電品から発生した蒸気は、蒸気受け１４に当たり、蒸気受け前壁１４ｂにより室内への放出を少なくし、左壁１４ｄ、右壁１４ｅによりキャビネット９の側板９ｃへの結露を少なくし、そのほとんどは蒸気受け１４の表面で結露することができる。
【００２７】
そして蒸気受け１４に結露した蒸気は、蒸気受け１４の傾斜により結露受け１１に捕集される。
【００２８】
（実施の形態３）
図５、図６は、本発明の第３の実施の形態の蒸気処理器の側方断面図である。
【００２９】
図５において、蒸気受け１５はキャビネット９の仕切り板９ａとヒンジ１６で可動自在に結合されており、蒸気受け１５の後端部はキャビネット９の背面板９ｂに設置された蒸気受け台１７に係止される。蒸気受け台１７は略溝型で前記蒸気受１５とほぼ同じ幅であり、ほぼ中央部には結露受け１１に排水するための排水穴を備えている。
【００３０】
仕切り板９ａの後部下面にはマグネットを主構成部材とするキャッチ１８配置されており、蒸気受け１５の後端部に取り付けている磁性体からなるキャッチ受け１９により、図６に示すように蒸気受け１５は仕切り板９ａ下面に固定できる構成している。
【００３１】
以上のように構成された蒸気処理器について、以下その動作、作用を説明する。
【００３２】
家電品の使用時に蒸気を発生させる際には図５のように蒸気受け１５を下ろすことにより、蒸気受け１５に結露した結露水は蒸気受け台１７を介して結露受け１１に捕集できる。
【００３３】
家電品を設置したり取り出す際には、図６のように蒸気受け１５を上げ、キャッチ１８とキャッチ受け１９の磁力により仕切り板９ａの下面に固定させることにより、家電品の設置や取り出しを楽に行うことができる。また、家電品を設置しないで、物品の収納庫として使用する場合においても庫内を広く使うことができるものである。
【産業上の利用可能性】
【００３４】
以上のように、本発明にかかる蒸気処理器は、蒸気の出る家電品を主な対象としているが、産業機器や医療機器の分野における用途にも適用できる。
【図面の簡単な説明】
【００３５】
【図１】本発明の実施の形態１における蒸気処理器の斜視図
【図２】本発明の実施の形態１における蒸気処理器の側方断面図
【図３】本発明の実施の形態２における蒸気処理器の斜視図
【図４】本発明の実施の形態２における蒸気処理器の側方断面図
【図５】本発明の実施の形態３における蒸気処理器の側方断面図
【図６】本発明の実施の形態３における蒸気処理器の側方断面図
【図７】従来の蒸気処理器の側方断面図
【符号の説明】
【００３６】
１０、１４、１５  蒸気受け
１１  結露受け
【図１】
2005118345.tif 000003
【図２】
2005118345.tif 000004
【図３】
2005118345.tif 000005
【図４】
2005118345.tif 000006
【図５】
2005118345.tif 000007
【図６】
2005118345.tif 000008
【図７】
2005118345.tif 000009